(57)【特許請求の範囲】
【請求項１】
１対のヒューズ端子が底面から突出したパッケージ型のヒューズが挿抜可能に装着されるヒューズホルダであって、
電気回路との電気的接続に用いられる１対の接続端子と、
前記ヒューズが取り付けられる取り付け面に設けられて前記１対のヒューズ端子をそれぞれ受け入れる１対の穴と、
前記１対の穴の内部にそれぞれ設けられ、前記取り付け面に前記ヒューズを取り付けた時に前記１対のヒューズ端子と電気的な接続を確立する１対のヒューズホルダ端子と、
前記１対のヒューズホルダ端子と前記１対の接続端子とをそれぞれ電気的に接続する導電路と、
前記取り付け面上に設けられ、前記ヒューズの前記取り付け面からの脱落を防止するように、取り付けられた状態の前記ヒューズを少なくとも部分的に覆う第１の位置と、前記ヒューズの挿抜を可能にするように、前記ヒューズを覆わない第２の位置との間で移動可能なカバー部材と、
前記ヒューズホルダの内部において前記導電路に設けられて前記導電路の接続および切断を行う接点と、
前記導電路を接続する位置に前記接点を付勢するばね部材と、
前記カバー部材が前記第２の位置にあるときに前記カバー部材の上壁部によって覆われる位置に、前記取り付け面を貫通して前記取り付け面に垂直な方向に押下可能に設けられ、下端が前記接点と機械的に当接し、上端が外部から押下されたときに前記接点を切断状態とする電気絶縁性のスイッチ棒と、
を有し、
前記スイッチ棒は、
前記カバー部材が前記第１の位置にあるときには、前記ばね部材が前記接点を付勢することにより、前記上端が前記カバー部材の前記上壁部のレベルよりもさらに上方に突出し、
前記カバー部材が前記第２の位置にあるときには、前記上端が前記カバー部材の前記上壁部によって押下されて前記接点を切断状態とする、ヒューズホルダ。
【請求項２】
前記取り付け面に前記ヒューズと嵌合する凹部が設けられ、前記１対の穴が前記凹部の底面に形成されている請求項１に記載のヒューズホルダ。
【発明の詳細な説明】
【技術分野】
【０００１】
本発明は、電気回路にヒューズを挿抜可能に装着するために用いられるヒューズホルダに関する。
【背景技術】
【０００２】
各種の電気回路には、保安用にヒューズが設けられる。例えば、負荷に対して電力を供給する電流分配装置には、高電圧から負荷や人体を保護するためにヒューズが配置されており、これらのヒューズは、一般に、電気回路に設けられたヒューズホルダに挿抜可能に装着される（例えば、特許文献１を参照）。
【０００３】
図３は従来のヒューズホルダの構成の一例を示している。ここではヒューズ３０は、過電流によって溶解して電流を遮断するその可溶部分が電気絶縁性のカートリッジに収容されたカートリッジ型のものであり、ヒューズ３０の底面に対して垂直に延びる一対のブレード状のヒューズ端子３１が、ヒューズ３０の底面に設けられている。
【０００４】
ヒューズホルダ１０は、略直方体の本体１１を有し、ヒューズホルダ１０の上面すなわち本体１１の上面には、ヒューズ３０のカートリッジに嵌合する凹部が設けられている。凹部の底面には、１対のヒューズ端子３１をそれぞれ受け入れる１対の穴１３が設けられており、各々の穴１３の内部には、ヒューズ端子３１に対応するヒューズホルダ端子１４が設けられている。凹部にヒューズ３０を嵌め込んでヒューズ３０の底面が凹部の底面に当接するときに、ヒューズ３０のカートリッジの図示下半分が凹部内に収まり、かつ、各ヒューズ端子３１は穴１３に挿入されて対応するヒューズホルダ端子１４と電気的に接続するようになっている。ヒューズホルダ１０の下面には、ヒューズホルダ１０を電気回路に接続する際に設けられる１対の接続端子１５が設けられており、１対の接続端子１５と１対のヒューズホルダ端子１４とは、本体１１内に設けられた導電路１６によって電気的に接続している。接続端子１５の位置には、ヒューズホルダ１０を例えば電流分配装置あるいは分電盤のバスバーに取り付けるためのねじ穴も形成されている。
【０００５】
このようなヒューズホルダ１０では、凹部にヒューズ３０を嵌め込むことによって初めてヒューズ３０とヒューズホルダ１０との電気的接続が完成するので、ヒューズ３０の挿抜の際に電圧が印加されている部分（充電部）に不用意に接触することが防止される。
【先行技術文献】
【特許文献】
【０００６】
【特許文献１】特開２００７−２００５８５号公報
【発明の概要】
【発明が解決しようとする課題】
【０００７】
近年、需要家宅内において電源から負荷機器までの配線を介して直流電力を供給することが検討されるようになってきている。直流電力を供給する電流分配装置においてもヒューズが配置され、そのヒューズは上述したようなヒューズホルダに挿抜可能に装着されることになる。活線状態の回路からヒューズを引き抜く場合、ヒューズ端子とヒューズホルダ端子とが引き離される瞬間にアーク放電が生じる。交流回路であれば回路上における電圧がゼロとなる瞬間が周期的（５０Ｈｚであれば１秒間に１００回、６０Ｈｚであれば１２０回）に存在するから、アーク放電が生じてもヒューズホルダからヒューズが外される時間内でアーク放電が停止することが期待される。これに対して直流放電では、回路上の電圧がゼロとなる瞬間がないので、アーク放電が長く続き、上述したようなヒューズホルダの場合であればヒューズホルダの上面側にまでアークが進出する可能性がある。放電により発生した高温・高電圧のアークは、回路の損傷や、作業員の感電・火傷の原因となり得る。
【０００８】
そこで本発明の目的は、直流回路などに使用した場合であってもヒューズの取り外しの際に有害なアーク放電の発生が防止されるヒューズホルダを提供することにある。
【課題を解決するための手段】
【０００９】
本発明のヒューズホルダは、１対のヒューズ端子が底面から突出したパッケージ型のヒューズが挿抜可能に装着されるヒューズホルダであって、電気回路との電気的接続に用いられる１対の接続端子と、ヒューズが取り付けられる取り付け面に設けられて１対のヒューズ端子をそれぞれ受け入れる１対の穴と、１対の穴の内部にぞれぞれ設けられ、取り付け面にヒューズを取り付けた時に１対のヒューズ端子と電気的な接続を確立する１対のヒューズホルダ端子と、１対のヒューズホルダ端子と接続端子とを電気的に接続する導電路と、取り付け面上に設けられ、ヒューズの取り付け面からの脱落を防止するように、取り付けられた状態のヒューズを少なくとも部分的に覆う第１の位置と、ヒューズの挿抜を可能にするように、ヒューズを覆わない第２の位置との間で移動可能なカバー部材と、ヒューズホルダの内部において導電路に設けられて導電路の接続および切断を行う接点と、導電路を接続する位置に接点を付勢するばね部材と、カバー部材が第２の位置にあるときにカバー部材によって覆われる位置において、取り付け面を貫通するように設けられて一端が接点と機械的に連動し、外部から押下されたときに接点を切断状態とする電気絶縁性のスイッチ棒と、を有し、カバー部材が第２の位置にあるときにカバー部材によってスイッチ棒は押下されて接点が切断状態となるように構成されている。
【発明の効果】
【００１０】
本発明では、ヒューズの脱落防止用の可動式のカバー部材を設けるとともに、ヒューズホルダの内部に回路を接続及び切断するための接点を設け、ヒューズの挿抜を可能とする位置にカバー部材があるときにはカバー部材がスイッチ棒を押下して接点を切断状態とするように構成したことにより、ヒューズの挿抜時には回路が確実に切断状態となって、ヒューズの取り外しに伴う有害なアーク放電の発生を防止する。
【図面の簡単な説明】
【００１１】
【図１】本発明の実施の一形態のヒューズホルダを示す模式断面図である。
【図２】図１に示すヒューズホルダの斜視図である。
【図３】従来のヒューズホルダを示す模式断面図である。
【発明を実施するための形態】
【００１２】
次に、本発明の好ましい実施の形態を図面を参照して説明する。
【００１３】
図１及び図２に示す本発明の実施の一形態のヒューズホルダは、図３に示したものと同様のものであるが、ヒューズの挿抜時には予め回路が確実に切断状態となるように構成した点で、図３に示したものと異なっている。以下、本実施形態のヒューズホルダについて詳しく説明する。以下の説明では、ヒューズ３０は、上述と同様にカートリッジ型のものであって、一対のブレード状のヒューズ端子３１が、ヒューズ３０の底面に設けられているものとする。
【００１４】
ヒューズホルダ１０は、図３に示したものと同様に、略直方体の本体１１を有し、本体１１の上面には、ヒューズ３０のカートリッジに嵌合する凹部１２が設けられ、凹部１２の底面には、１対のヒューズ端子３１をそれぞれ受け入れる１対の穴１３が設けられており、各々の穴１３の内部には、ヒューズ端子３１に対応するヒューズホルダ端子１４が設けられている。
【００１５】
本体１１の上面には、両方の側壁部と上壁部とからなるコの字型のカバー部材１７が設けらている。カバー部材１７はヒューズ３０の脱落防止用の部材であり、カバー部材１７の両方の側壁部の下端は、本体１１の上面において平行に設けられた２本の溝２１に対してそれぞれスライド可能にはめ込まれている。このようなカバー部材１７は、取り付けられた状態のヒューズ３０を少なくとも部分的に覆ってヒューズの脱落３０を防止する第１の位置と、ヒューズ３０の挿抜を可能にするように、ヒューズ３０を覆わない第２の位置との間で移動可能である。
【００１６】
１対のヒューズホルダ端子１４は、本体１１内の導電路１６によって、本体１１の底面に設けられた１対の接続端子１５と電気的に接続している。本実施形態のヒューズホルダ１０では、本体１１の内部において、導電路１６の一部に、その導電路１６を断続するための接点１８が設けられており、接点１８は、ばね１９によって付勢され、通常時には導電路１６を接続する。すなわち通常時には、接点１８によって、一方の接続端子１５から導電路１６、一方のヒューズホルダ端子１４、一方のヒューズ端子３１、ヒューズ３０、他方のヒューズ端子３１、他方のヒューズホルダ端子１４、導電路１６を介して他方の接続端子１５までの回路が形成される。そして、ヒューズ３０の取り付け位置以外の場所で本体１１の上面を貫通するように、電気絶縁性のスイッチ棒２０が設けられている。スイッチ棒２０の下端は接点１８に当接している。スイッチ棒２０は、本体１１の上面側から下方向に押し込むことが可能なものであって、スイッチ棒２０を押下することによって、接点１８が導電路１６から離れて導電路１６を切断状態とするようになっている。スイッチ棒２０が設けられる位置は、カバー部材１７が上述した第２の位置にあるときにカバー部材１７によって覆われる位置にである。押圧されない状態でスイッチ棒２０の上端は、カバー部材１７の上壁部のレベルよりもさらに上方にあるようになっている。これによって、カバー部材１７が第２の位置にあるときにはスイッチ棒２０はカバー部材１７の上壁部によって押圧されて、接点１８を切断状態とする。したがって、接点１８によって導電路１６が導通状態となるようにするためには、カバー部材１７は、ヒューズ３０の脱落を防止する第１の位置になければならないことになる。この状態では、カバー部材１７をスライドさせて第２の位置にしようとしても、スイッチ棒２０によってカバー部材１７の動きが阻止されて、スイッチ棒２０を意図的に押下しない限り、カバー部材１７を第２の位置に動かせないことになる。
【００１７】
次に、このスイッチホルダ１１におけるヒューズ３０の装着と取り外しについて説明する。
【００１８】
ヒューズ３０を取り付けるときは、まず、スイッチ棒２０を押下して接点１８を切断状態とし、押下したままカバー部材１７をスライドさせて第２の位置とする。カバー部材１７が第２の位置にあれば接点１８は切断状態であるから、次に、凹部１２にヒューズ３０を嵌め込んで装着する。このとき、ヒューズ３０の底面が凹部１２の底面に当接し、ヒューズ３０のカートリッジの例えば図示下半分が凹部１２内に収まり、かつ、各ヒューズ端子３１は穴１３に挿入されて対応するヒューズホルダ端子１４と電気的に接続する。その後、ヒューズ３０を少なくとも部分的に覆う第１の位置にカバー部材１７をスライドさせる。これによって、ばね１８の付勢力によってスイッチ棒２０が上に移動し、接点１８が導通状態となって、ヒューズ３０に対する通電が可能になる。
【００１９】
ヒューズ３０を取り外すときは、まず、スイッチ棒２０を押下して接点１８を切断状態とし、押下したままカバー部材１７をスライドさせて第２の位置とする。その上で、ヒューズ３０を凹部１２から引き抜くことで、ヒューズ３０を取り外すことができる。接点１８によって回路が切断状態となっているので、ヒューズ３０を取り外すときに有害なアーク放電が発生するおそれもない。なお、スイッチ棒２０を押下して接点１８を切断状態としたときに接点１８においてアーク放電が発生する可能性があるが、接点１８はヒューズホルダ１０の本体１１の内部にあって外部とは隔離されているから、このアーク放電によって回路の損傷や作業者の感電・火傷などが起こることはない。
【００２０】
このように本実施形態のヒューズホルダ１０では、活線状態でのヒューズ３０の挿抜を防ぎ、回路の入／切をニューズホルダ１０の内部で行うことにより、アークによる事故や損傷を防止することができる。
【符号の説明】
【００２１】
１０    ヒューズホルダ
１１    本体
１２    凹部
１３    穴
１４    ヒューズホルダ端子
１５    接続端子
１６    導電路
１７    カバー部材
１８    接点
１９    ばね
２０    スイッチ棒
２１    溝
３０    ヒューズ
３１    ヒューズ端子
【図１】
0005680575.tif 000002
【図２】
0005680575.tif 000003
【図３】
0005680575.tif 000004